(57)【要約】【課題】本発明は、一般建造物の棟や傾斜屋根上の煙突等の突起物に簡単容易に外被して、降雪時には、人手を介することなく、雪切りができ、降雪季節を過ぎれば、迅速容易に回収して格納保管できる建造物屋根用雪切りカバーを提供する。【解決手段】帯状弗素樹脂フィルムであって、非粘着性、滑雪性及び撥水性の物性を有するもの１０と、前記帯状弗素樹脂フィルムの非粘着性より大きい粘着力を有する片面粘着テープ又は両面粘着テープ４０とからなり、前記帯状弗素樹脂フィルム１０を、建造物の棟５１１又は傾斜屋根５１の煙突等の突起物５３に、前記片面粘着テープ４１又は前記両面粘着テープ４２を介して、外被して着脱可能に固着して、前記棟５１１や傾斜屋根５１上の前記突起物５３を雪切りできるようにしたもの。【選択図】        図１
2015045156.tif 000002
【特許請求の範囲】
【請求項１】
帯状弗素樹脂系合成樹脂フィルムの厚みが５０〜２５０μｍで、非粘着性、滑雪性及び撥水性の物性を有するもの（以下、単に帯状弗素樹脂フィルムという。）と、弗素樹脂系合成樹脂フィルムの厚みが５０〜１００μｍで、非粘着性、滑雪性及び撥水性の物性を有するものを使用した片面粘着テープであって、粘着力が前記帯状弗素樹脂フィルムの非粘着性より大きい粘着剤のもの、又は、両面粘着テープであって、粘着力が前記帯状弗素樹脂フィルムの非粘着性より大きい粘着剤のものとからなり、建造物の棟、傾斜屋根上の煙突等の突起物に、前記帯状弗素樹脂フィルムを前記片面粘着テープ、又は、前記両面粘着テープを介して、着脱可能に粘着して外被し、前記棟、又は、前記傾斜屋根上の突起物を雪切りできるようにすることを特徴とした建造物屋根用雪切りカバー。
【発明の詳細な説明】
【技術分野】
【０００１】
本発明は、非粘着性、滑雪性及び撥水性の物性を有する弗素樹脂系合成樹脂フィルムを使用した建造物屋根用の雪切りカバーに関する。
【背景技術】
【０００２】
棟表面に積もった積雪があると、屋根の両勾配方向に釣り合った状態でバランスし、傾斜屋根からの滑雪が妨げられる。そこで棟部に充分な高さの断面鋭角状のステンレス製等の雪切り板を設けることが行われる場合があったが、施行費が高い、複雑な形状の棟部には対応しにくいなどの欠点があった。さらに、煙突などの屋根上の突起物についても傾斜屋根からの滑雪を妨げるので、前記雪切り板を設けていたが、前述同様の欠点があった。
【先行技術文献】
【非特許文献】
【０００３】
【非特許文献１】社団法人日本建築学会編  「雪と建築」  技報堂出版株式会社出版  ２０１０年８月２５日発行  雪切り  ４０頁〜４１頁
【非特許文献２】旭硝子株式会社  アフレックス  エフクリーン  ホームページhttp://www.fluon.jp/fluon/index.html
【非特許文献３】ダイキン工業株式会社  ネオフロン  ホームページhttp://www.daikin.co.jp/chm/products/film/index.html
【発明の概要】
【発明が解決しようとする課題】
【０００４】
本発明は、一般建造物の棟又は傾斜屋根上の煙突等の突起物を簡単容易に外被して、人手を介することなく、降雪時の雪切りができるようにした、建造物屋根用雪切りカバーを提供するものである。
また、本発明は、降雪季節を過ぎれば、迅速容易に回収して、格納保管できるようにした建造物屋根用雪切りカバーを提供するものである。
さらに、本発明は、製作容易で低価格で販売できる建造物屋根用雪切りカバーを提供するものである。
【課題を解決するための手段】
【０００５】
本発明建造物屋根用雪切りカバーの請求項１の発明は、上記課題を達成するため、図示するように、帯状弗素樹脂系合成樹脂フィルムの厚みが５０〜２５０μｍで、非粘着性、滑雪性及び撥水性の物性を有するもの（以下、単に帯状弗素樹脂フィルムという。）と、弗素樹脂系合成樹脂フィルムの厚みが５０〜１００μｍで、非粘着性、滑雪性及び撥水性の物性を有するものを使用した片面粘着テープであって、粘着力が前記帯状弗素樹脂フィルムの非粘着性より大きい粘着剤のもの、又は、両面粘着テープであって、粘着力が前記帯状弗素樹脂フィルムの非粘着性より大きい粘着剤のものとからなり、建造物の棟、傾斜屋根の煙突等の突起物に、前記帯状弗素樹脂フィルムを前記片面粘着テープ、又は、前記両面粘着テープを介して、着脱可能に粘着して外被し、前記棟、又は、前記突起物を雪切りできるようにするものである。
本発明において、帯状弗素樹脂フィルムは、エチレンーテトラフルオロエチレン系共重合体（以下、ＥＴＦＥという。）フィルム、テトラフルオロエチレンーヘキサフルオロプロピレン系共重合体（以下、ＦＥＰという。）フィルムなどの非粘着性、滑雪性及び撥水性の物性の大きい帯状弗素樹脂系合成樹脂フィルムをいう。帯状弗素樹脂フィルムの厚みは、５０μｍ以上２５０μｍの範囲のものが必要である。その理由は、帯状弗素樹脂フィルムが、５０μｍ以下の場合は、薄く柔軟すぎて外被するのに手間どり、また、２５０μｍ以上の場合は、折り曲げや折り畳みしにくく、外被が困難で、また、高価になるためである。
帯状ＥＴＦＥフィルムの一般物性を例示すると、以下のとおりである。
【０００６】
【表１】
2015045156.tif 000003
【０００７】
棟又は傾斜屋根の煙突その他の突起物には、前記帯状弗素樹脂フィルムを外被すると共に、厚み５０〜１００μｍで、非粘着性、滑雪性及び撥水性の物性を有する弗素樹脂系合成樹脂フィルムを基材に使用した片面粘着テープであって、粘着力が前記帯状弗素樹脂フィルムの非粘着性より大きい粘着剤をもつものを介して、前記外被部分を、着脱可能に粘着して固着し、雪切りが行えるようにする。前記片面粘着テープの厚みを５０〜１００μｍとしたのは、前記帯状弗素樹脂フィルムにより棟又は傾斜屋根の突起物に外被する場合に外被部分に貼着しやすいためである。また、外被部分は、両面の粘着層の粘着力が前記帯状弗素樹脂フィルムの非粘着性より大きいゴム系等の粘着剤をもつ両面粘着テープ（以下、単に両面粘着テープという。）を介して、着脱可能に粘着して固着し、雪切りが行えるようにする。
前述の片面粘着テープ又は両面粘着テープの粘着による固着は、前記帯状弗素樹脂フィルム同士の粘着による固着のほか、前記帯状弗素樹脂フィルムと棟又は傾斜屋根の突起物の表面に対する粘着による固着が含まれる。
【発明の効果】
【０００８】
本発明の屋根用雪切りカバーは、前記帯状弗素樹脂フィルムを、前記片面粘着テープ又は前記両面粘着テープを介して、高棟や煙突その他の傾斜屋根上の突起物に、簡単迅速に外被して固着できるので、高棟や傾斜屋根上の突起物の降雪時の雪切りを容易に行うことができる。
また、本発明に使用される帯状弗素樹脂フィルムは、農業用温室被覆資材などに多量に利用されているので、安価に入手しやすい。
さらに、本発明の屋根用雪切りカバーは、降雨季節を過ぎれば、容易に取りはずして格納保管ができる。
【図面の簡単な説明】
【０００９】
【図１】本発明の実施例を示す、使用状態の全体説明図である。
【発明を実施するための形態】
【００１０】
本発明建造物屋根用雪切りカバーを実施するための形態が、実施例１に示されている。
【実施例１】
【００１１】
本発明の実施例１が、図１に示されている。本発明実施例１の建造物屋根用雪切りカバーは、帯状弗素樹脂フィルム１０、前記片面粘着テープ、又は、前記両面粘着テープ４０とからなる。
帯状弗素樹脂フィルム１０は、ＥＴＦＥフィルムで、厚み１００μｍ、幅１，１５０ｍｍのものを、棟５１１及び傾斜屋根５１上の突起物の煙突５３の側面に対応して切断したものが使用される。前記片面粘着テープ４０は、厚み５０μｍで、非粘着性、滑雪性及び撥水性の物性を有するＥＴＦＥフィルムを基材に使用し、粘着力が前記帯状弗素樹脂フィルム１０の非粘着性より大きい粘着剤を設けたものからなる。前記両面粘着テープ４０は、発泡ブチルゴムシートの厚み０．７５ｍｍを使用し、粘着力が前記帯状弗素樹脂フィルム１０の非粘着性より大きい粘着剤を設けたものからなる。
本発明実施例の作業は、先ず、帯状弗素樹脂フィルム１０を、フィルム長さ方向に、棟５１１の長さ方向に沿って棟５１１上にのせて、フィルム幅方向の両側部分を、棟５１１の両側に沿って曲げて、建造物５０の棟５１１の長さ方向の両端部分において、折り込み、又は、折り畳んで、前記片面粘着テープ又は両面粘着テープ４０を介して粘着すると共に、外被した前記帯状弗素樹脂フィルム１０と棟５１１の表面との間にも適宜、前記片面粘着テープ又は前記両面粘着テープ４０により、粘着して外被することにより、着脱可能に固着し、また、帯状弗素樹脂フィルム１０を、傾斜屋根５１上の煙突５３の側面に外被すると共に、外被した前記帯状弗素樹脂フィルム１０と前記煙突５３の側面との間にも適宜、前記片面粘着テープ又は前記両面粘着テープ４０により、粘着して着脱可能に固着し、前記棟５１１及び傾斜屋根５１上の前記突起物５３に対する降雪を「雪切り」できるようにする。
【産業上の利用可能性】
【００１２】
本発明品は、軽量、製作容易で安価に量産できる。
【符号の説明】
【００１３】
１０          帯状弗素樹脂フィルム
４０          片面粘着テープ又は両面粘着テープ
５０          建造物
５１          傾斜屋根
５１１        棟
５３          煙突
【図１】
2015045156.tif 000004